(57)【要約】【課題】撮像装置において、ネットワーク通信を可能にするためのネットワーク接続設定を容易に切換え、設定可能にする。【解決手段】撮像して得られた画像データをネットワーク上へ送信可能な撮像装置は、例えばネットワーク接続器機２を介してデータをネットワーク上へ送信する。撮像装置は、メモリ５２に複数のネットワーク接続情報をプロファイル１〜５として保持することができる。撮像装置は、メモリ５２に保持された複数のネットワーク接続情報（プロファイル）のうちの一つをユーザに選択させるインターフェースを提供し、このインターフェースを用いて選択されたネットワーク接続情報をネットワーク接続器機２へ送ることで、ネットワーク通信のための設定を行う。【選択図】  図４
2006086650.tif 000002
【特許請求の範囲】
【請求項１】
撮像して得られた画像データをネットワーク上へ送信可能な撮像装置であって、
複数のネットワーク接続情報を保持するメモリと、
前記複数のネットワーク接続情報のうちの一つをユーザに選択させるインターフェースを提供する提供手段と、
前記インターフェースを用いて選択されたネットワーク接続情報を用いてネットワーク通信のための設定を実行する設定手段とを備えることを特徴とする撮像装置。
【請求項２】
前記撮像装置はネットワーク接続器機と接続し、該ネットワーク接続機器を介してネットワーク上へ画像データを送信するものであり、
前記設定手段は、前記ネットワーク接続器機に対して前記選択されたネットワーク接続情報を送信することを特徴とする請求項１に記載の撮像装置。
【請求項３】
前記メモリに保持された前記複数のネットワーク接続情報を１つのファイルとして、当該撮像装置に対して着脱可能な外部メモリに保存する保存手段を更に備えることを特徴とする請求項１又は２に記載の撮像装置。
【請求項４】
当該撮像装置に対して着脱可能な外部メモリに格納されている複数のネットワーク接続情報を含むファイルを読み出し、該ファイルより複数のネットワーク接続情報を取り出し、これらを前記メモリに保持する読込手段を更に備えることを特徴とする請求項１乃至３のいずれかに記載の撮像装置。
【請求項５】
前記メモリの保持された前記複数のネットワーク接続情報の各々について、内容の更新を禁止するか否かを設定する保護設定手段を更に備えることを特徴とする請求項１乃至４のいずれかに記載の撮像装置。
【請求項６】
前記メモリに格納されている複数のネットワーク接続情報より選択された１つのネットワーク接続情報を１つのファイルとして、当該撮像装置に対して着脱可能な外部メモリに保存する保存手段を更に備えることを特徴とする請求項１又は２に記載の撮像装置。
【請求項７】
当該撮像装置に対して着脱可能な外部メモリから、１つのネットワーク接続情報を含むファイルを読み出し、該ファイルに格納されたネットワーク接続情報を取り出し、これを前記複数のネットワーク接続情報の一つとして前記メモリに保持する読込手段を更に備えることを特徴とする請求項１乃至３のいずれかに記載の撮像装置。
【請求項８】
前記保存手段は、前記外部メモリに保存するファイルに対してファイル名を設定可能であることを特徴とする請求項３又は６に記載の撮像装置。
【請求項９】
撮像して得られた画像データをネットワーク上へ送信可能な撮像装置におけるネットワーク設定方法であって、
複数のネットワーク接続情報をメモリに登録する登録工程と、
前記メモリに登録された複数のネットワーク接続情報のうちの一つをユーザに選択させるインターフェースを提供する提供工程と、
前記インターフェースを用いて選択されたネットワーク接続情報を用いてネットワーク通信のための設定を実行する設定工程とを備えることを特徴とするネットワーク設定方法。
【請求項１０】
前記撮像装置はネットワーク接続器機と接続し、該ネットワーク接続機器を介してネットワーク上へ画像データを送信するものであり、
前記設定工程では、前記ネットワーク接続器機に対して前記選択されたネットワーク接続情報を送信することを特徴とする請求項９に記載のネットワーク設定方法。
【請求項１１】
前記メモリに保持された前記複数のネットワーク接続情報を１つのファイルとして、当該撮像装置に対して着脱可能な外部メモリに保存する保存工程を更に備えることを特徴とする請求項９又は１０に記載のネットワーク設定方法。
【請求項１２】
当該撮像装置に対して着脱可能な外部メモリに格納されている複数のネットワーク接続情報を含むファイルを読み出し、該ファイルより複数のネットワーク接続情報を取り出し、これらを前記メモリに保持する読込工程を更に備えることを特徴とする請求項９乃至１１のいずれかに記載のネットワーク設定方法。
【請求項１３】
前記メモリの保持された前記複数のネットワーク接続情報の各々について、内容の更新を禁止するか否かを設定する保護設定工程を更に備えることを特徴とする請求項９乃至１２のいずれかに記載のネットワーク設定方法。
【請求項１４】
前記メモリに格納されている複数のネットワーク接続情報より選択された１つのネットワーク接続情報を１つのファイルとして、当該撮像装置に対して着脱可能な外部メモリに保存する保存工程を更に備えることを特徴とする請求項９又は１０に記載のネットワーク設定方法。
【請求項１５】
当該撮像装置に対して着脱可能な外部メモリから、１つのネットワーク接続情報を含むファイルを読み出し、該ファイルに格納されたネットワーク接続情報を取り出し、これを前記複数のネットワーク接続情報の一つとして前記メモリに保持する読込工程を更に備えることを特徴とする請求項９乃至１１のいずれかに記載のネットワーク設定方法。
【請求項１６】
前記保存工程は、前記外部メモリに保存するファイルに対してファイル名を設定可能であることを特徴とする請求項１１又は１４に記載のネットワーク設定方法。
【発明の詳細な説明】
【技術分野】
【０００１】
本発明は、静止画像や動画像を撮像、記録する撮像装置に係り、特にネットワーク通信により撮像データを送信可能とする機能を有する撮像装置のネットワーク設定に関するものである。
【背景技術】
【０００２】
最近のデジタルカメラは、撮影されたデジタル画像をメモリカード等の記憶媒体に保存する機能だけでなく、撮影されたデジタル画像をＩＥＥＥ１３９４シリアルバス、ＵＳＢ（Universal Serial Bus）等に準拠したネットワークインターフェースを介して他の装置に転送する機能を有する。例えば、特許文献１には、撮影されたデジタル画像を無線ＬＡＮカードを介してファイルサーバに転送するデジタルカメラのごとき撮像装置が提案されている。
【０００３】
また、近年のネットワークの普及に伴って、撮像により得られた静止画像や動画像をネットワークを介して他の器機へ送信する撮像装置が提案されている。この種の撮像装置においては、所望の送信先へネットワークを介してデータを送信するために、接続するネットワークの環境や送信先アドレスを含むネットワーク接続情報が参照される。このようなネットワーク接続情報を含むファイルを外部メモリから読み込んで自装置内のメモリに保存する機能を有する撮像装置が提案されている。また、装置内のメモリに保存されたネットワーク接続情報を１つのファイルとして外部メモリに保存する機能を有する撮像装置も提案されている。更に、撮像装置そのものはネットワーク接続機能持たないが、ネットワーク接続機器を接続することにより、これを介してネットワークに接続可能となる撮像装置も存在する。
【特許文献１】特開２００３−２８３９００号公報
【発明の開示】
【発明が解決しようとする課題】
【０００４】
上述した撮像装置においては、ネットワーク接続情報を一組しか保存できない。また、外部メモリに保存可能なファイルも１つである。例えば、ネットワーク器機を介してデータをネットワーク送信する撮像装置の場合、データの送信先を変更するためにはネットワーク接続器機の設定内容を変更する必要が生じる。しかしながら、ネットワークに接続するためにネットワーク接続機器に設定する情報は多岐に渡るのに対し、パソコンのように大画面の液晶を備えておらず、また、操作部材も限られている撮像装置においては、ネットワークに接続するための情報をネットワーク接続機器に設定する操作が非常に困難である。すなわち、撮像装置の操作によりネットワーク接続機器の設定内容を変更することは非常に困難である。更に、撮像装置には設定内容を保護する機能はないので、誤操作により設定内容が変更されてしまうことがある。
【０００５】
以上のように、ネットワーク技術の発達にともない、ネットワーク機能を有する電子機器は増加の傾向にあるが、静止画像や動画像を撮像、記録、再生する撮像装置は、パソコンと異なり、ユーザにとって十分な操作手段が提供されていない。このため、ネットワーク接続のためにネットワーク接続機器に情報を設定することが非常に困難なものとなっている。
【０００６】
本発明は上記の課題に鑑みてなされたものであり、撮像装置において、ネットワーク通信を可能にするためのネットワーク接続設定を容易に切換え、設定可能にすることを目的とする。
【課題を解決するための手段】
【０００７】
上記の目的を達成するための本発明による撮像装置は以下の構成を備える。すなわち、
撮像して得られた画像データをネットワーク上へ送信可能な撮像装置であって、
複数のネットワーク接続情報を保持するメモリと、
前記複数のネットワーク接続情報のうちの一つをユーザに選択させるインターフェースを提供する提供手段と、
前記インターフェースを用いて選択されたネットワーク接続情報を用いてネットワーク通信のための設定を実行する設定手段とを備える。
【０００８】
上記の目的を達成するための本発明によるネットワーク設定方法は、
撮像して得られた画像データをネットワーク上へ送信可能な撮像装置におけるネットワーク設定方法であって、
複数のネットワーク接続情報をメモリに登録する登録工程と、
前記メモリに登録された複数のネットワーク接続情報のうちの一つをユーザに選択させるインターフェースを提供する提供工程と、
前記インターフェースを用いて選択されたネットワーク接続情報を用いてネットワーク通信のための設定を実行する設定工程とを備える。
【発明の効果】
【０００９】
本発明によれば、撮像装置において、ネットワーク通信のためのネットワーク接続設定を容易に切り換えて、設定することができる。
【発明を実施するための最良の形態】
【００１０】
以下、添付の図面を参照して本発明の好適な実施形態を説明する。
【００１１】
＜撮像装置の構成＞
図１は、実施形態による撮像装置の構成例を示すブロック図である。図１に示されるように、本実施形態の撮像装置１は、装置本体１００、電源ユニット１０１、外部メモリ２００，２１０、レンズユニット３００から構成される。
【００１２】
図１において、３１０は撮影レンズ、３１１は絞り、１２１はミラー、１２はシャッター、１４は光学像を電気信号に変換する、ＣＣＤやＣＭＯＳセンサ等の撮像素子、１６は撮像素子１４のアナログ信号出力をディジタル信号に変換するＡ／Ｄ変換器である。タイミング発生回路１８は、メモリ制御回路２２及びシステム制御回路５０により制御され、撮像素子１４、Ａ／Ｄ変換器１６、Ｄ／Ａ変換器２６にクロック信号や制御信号を供給する。
【００１３】
画像処理回路２０は、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が測光回路４０、測距回路４２、フラッシュ４８、絞り制御回路３１２、測距制御回路３１３に対して制御を行い、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは、画像処理回路２０及びメモリ制御回路２２を介して、或いは直接メモリ制御回路２２を介して、画像表示メモリ２４或いはメモリ３０に書き込まれる。
【００１５】
画像表示メモリ２４に書き込まれた表示用の画像データは、Ｄ／Ａ変換器２６を介してＬＣＤや有機ＥＬディスプレイ等の画像表示部２８により表示される。ミラー１２１を退避させて撮像素子で撮像した画像データを画像表示部２８で逐次表示すれば、電子ファインダ機能を実現することが可能である。本実施形態では、ミラー１２１を図示の位置にセットして光学ファインダ１０４を用いるモードと、ミラー１２１を退避させて電子ファインダ機能を用いるモードのいずれかを選択することができる。また、画像表示部２８は、システム制御回路５０の指示により任意に表示をＯＮ／ＯＦＦすることが可能であり、表示をＯＦＦにした場合には装置本体１００の電力消費を大幅に低減することができる。
【００１６】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
圧縮・伸長回路３２は、メモリ３０に格納された画像を読み込んで、適応離散コサイン変換（ＡＤＣＴ）、ウェーブレット変換等を用いた周知のデータ圧縮処理或いは伸長処理を行い、処理を終えたデータをメモリ３０に書き込む。
【００１８】
測光回路４０による測光結果に基づいて、絞り制御回路３１２は絞り３１１を制御し、シャッター制御回路４４は撮像素子１４への露光量を制御するためのシャッター１２を制御する。また、システム制御回路５０は測光回路４０の測光結果に基づいてフラッシュ４８によるフラッシュ調光機能を実現する。
【００１９】
測距制御回路３１３は撮影レンズ３１０のフォーカシングを制御し、ズーム制御回路３１４は撮影レンズ３１０のズーミングを制御する。レンズ制御回路３１５は、システム制御回路５０からの指示に基づきこれら制御回路３１３と３１４を制御する。フラッシュ４８は撮影時の補助光源として機能し、調光機能も有する。また、ＡＦ補助光の投光機能も有する。測光回路４０、測距回路４２はＴＴＬ方式を用いて制御されており、撮像した画像データを画像処理回路２０によって演算した演算結果に基づき、システム制御回路５０が絞り制御部３１２、測距制御部３１３に対して制御を行う。
【００２０】
システム制御回路５０は例えばＣＰＵであり、メモリ５２に記憶されたプログラムを実行することにより装置本体１００の全体を制御する。メモリ５２はシステム制御回路５０の動作用の定数、変数、プログラム等を記憶する。
【００２１】
表示部５４は例えばＬＣＤやＬＥＤ、スピーカ等の出力装置の組み合わせにより構成され、システム制御回路５０でのプログラムの実行に応じて、文字、画像、音声等を用いて動作状態やメッセージ等を出力する。表示部５４は装置本体１００の操作部６８近辺の視認し易い位置に、単数或いは複数設置される。また、表示部５４の一部は光学ファインダ１０４内に設置されている。表示部５４の表示内容としては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部メモリ２００及び２１０の着脱状態表示、通信Ｉ／Ｆ動作表示、日付け・時刻表示、外部コンピュータとの接続状態を示す表示、合焦表示、撮影準備完了表示、手振れ警告表示、フラッシュ充電表示、外部メモリ書き込み動作表示、等がある。この一部は光学ファインダ１０４内に表示される。
【００２２】
不揮発性メモリ５６は電気的に消去・記録可能なメモリであり、例えばＥＥＰＲＯＭ等が用いられる。
【００２３】
シャッタースイッチ６２及び６４及び操作部６８は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。シャッタースイッチＳＷ１（６２）は、装置本体１００に設けられたシャッターボタン（図示せず）の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２４】
シャッタースイッチＳＷ２（６４）は、不図示のシャッターボタンの操作完了（全押し）でＯＮとなり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、外部メモリ２００或いは２１０に画像データを書き込む記録処理という一連の処理の動作開始を指示する。
【００２５】
操作部６８は各種ボタンやタッチパネル等からなり、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、圧縮モードスイッチ等を具備する。
【００２６】
電源制御部８０は、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、各部へ供給する。
【００２７】
電源８６はアルカリ電池やリチウム電池等の一次電池やＮｉＣｄ電池やＮｉＭＨ電池、Ｌｉ電池等の二次電池、或いはＡＣアダプタ等からなり、コネクタ８２及び８４によって装置本体１００に取り付けられる。
【００２８】
メモリカードやハードディスク等の外部メモリ２００及び２１０は、半導体メモリや磁気ディスク等から構成される記録部２０２、２１２と、画像処理装置１００とのインタフェース２０４、２１４及びコネクタ２０６、２１６を有している。外部メモリ２００及び２１０は、媒体側のコネクタ２０６、２１６と装置本体１００側のコネクタ９２、９６とを介して装置本体１００に装着される。コネクタ９２、９６にはインタフェース９０及び９４が接続される。
【００２９】
なお、本実施形態では装置本体１００が外部メモリを取り付けるインターフェース及びコネクタを２系統持つものとして説明しているが、外部メモリを取り付けるインターフェース及びコネクタは、単数を含む任意の数備えることができる。また、系統毎に異なる規格のインターフェース及びコネクタを用いても良い。インターフェース及びコネクタとしては、例えばＰＣＭＣＩＡカードやＣＦ（コンパクトフラッシュ（登録商標））カード等の規格に準拠したものを用いることができる。
【００３０】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３１】
光学ファインダ１０４は例えばＴＴＬファインダであり、プリズムやミラー（１２１,１２２）を用いてレンズ３１０を通じた光束を結像する。光学ファインダ１０４を用いることで、画像表示部２８による電子ファインダ機能を使用すること無しに撮影を行うことが可能である。また、上述したように、光学ファインダ１０４内には、表示部５４の一部の機能、例えば、合焦表示、手振れ警告表示、フラッシュ充電表示、シャッタースピード表示、絞り値表示、露出補正表示などの情報表示がなされる。
【００３２】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介して画像処理装置１００を他の機器と接続する。
【００３３】
上記構成例では、レンズユニット３００が交換可能な交換レンズタイプの画像撮影／再生装置を示したが、交換レンズタイプでなくともよい。
【００３４】
＜ネットワーク通信及びネットワーク設定の概要＞
図２は、図１で説明した撮像装置１がネットワーク接続機器２と接続された状態を示した図である。撮像装置１は図１に示したコネクタ１１２を用いてネットワーク接続器機２と接続し、通信部１１０の制御によりネットワークを介した通信を行う。撮像装置１はネットワーク接続機器２を通して撮影画像／音声ファイル／動画ファイル等を転送する。ネットワーク接続機器２は無線によるネットワークへの接続機能、有線によるネットワークへの接続機能のどちらか一方または両方を兼ねそろえたものである。なお、本実施形態ではネットワーク接続機器２を外部アクセサリーとしているが、ネットワーク接続機能を撮像装置内に内蔵してもよい。
【００３５】
図３は、ネットワーク接続機器２に設定するネットワーク設定情報の一例を示す図である。図３で示した内容を全てまとめたものを１つの単位とし、本実施形態では便宜上これをプロファイルと記述する。図２で示されたネットワーク接続機器２は図３で示されている各項目を正しく設定することにより撮影画像／音声ファイル／動画ファイルをネットワーク上の所望の送信先へ転送することが可能である。従って、送信先のアドレスや当該送信先が接続されたネットワークに応じて、すなわち、各送信先毎にプロファイルが必要である。なお、図３に示すように、プロファイルはプロファイブ番号３１とネットワーク設定情報３２を含む。本実施形態ではメモリ５２にプロファイル１〜５が格納されるが、プロファイル１〜５の識別はプロファイル番号３１を参照することでなされる。
【００３６】
図４は図３で表されたプロファイルを撮像装置１内のメモリ５２に複数組記憶することを示した図である。本実施形態では、図４に示すように、メモリ５２には５つのプロファイル（プロファイル１〜５）を格納することが可能であるとする。図４では、外部メモリ２００（２１０）に格納されているプロファイルをメモリ５２の例えばプロファイル１として格納し、これをネットワーク接続器機２に設定する様子が示されている。なお、撮像装置１内のメモリ５２にネットワーク設定情報を記憶させるための方法としては、「外部メモリからプロファイル情報を読み込む方法」と「撮像装置に備えられた部材（ボタン、ダイアル等）を用いて画像表示部２８で確認しながら設定する方法」の２通りが考えられる。これら２つの方法のうち、後者は撮像装置におけるユーザインターフェースの乏しさゆえ、作業が非常に困難となる。本実施形態では、前者の方法によりメモリ５２に複数のネットワーク設定情報（複数のプロファイル）を記憶させる。
【００３７】
＜ネットワーク設定情報の設定について＞
次に、上記構成の撮像装置１からネットワーク接続器機２へのネットワーク設定情報（プロファイル）の設定動作について説明する。
【００３８】
本実施形態の撮像装置１は、図４で説明したように複数のプロファイルを保持しており、これらの中から所望のプロファイルを選択してネットワーク接続器機２に設定する。このために、図５に示されるようなユーザインターフェースを用いる。図５は、画像表示部２８の表示を用いたプロファイル選択方法を説明する図である。ユーザは画像表示部２８上にリストアップされたプロファイル（図５ではプロファイル１〜５）の中から所望のプロファイルを１つ選択する。各々のプロファイルには図３で示された内容が設定されている。そして、「プロファイル設定」を指示することにより、選択されたプロファイルがネットワーク接続器機２に送信され、設定される。
【００３９】
図６はユーザがプロファイル選択を行う際のシステム制御回路５０による処理を示すフローチャートである。ユーザにより、トップメニューからネットワーク設定が選択されると、画像表示部２８上に図１７に示すようなネットワーク設定メニュー画面を表示する（ステップＳ５０１）。このメニューからプロファイル設定が選択されると、図５に示したようなプロファイル選択画面を表示する（ステップＳ５０２、Ｓ５０３）。ステップＳ５０３にて表示したプロファイル選択画面において、表示された複数のプロファイルから所望のプロファイルが１つ選択され、プロファイル設定の実行が指示されると、選択されたプロファイルの内容がネットワーク接続機器２に送信され、設定される（ステップＳ５０４、Ｓ５０５）。プロファイル設定がキャンセルされた場合はそのまま本処理を終了する（ステップＳ５０４）。
【００４０】
以上の構成によれば、プロファイルの内容は図３で示したように多岐に渡るものであるが、ネットワーク接続機器の設定を変更を、個々の内容を個別に変更する手間をかけずに、複数のプロファイルから１つを選択することにより実現できる。このため、ネットワーク器機のネットワーク設定情報の変更に対する操作性が向上する。
【００４１】
＜プロファイルの外部メモリへの保存（一括プロファイル保存）＞
次に、メモリ５２に記憶されているプロファイルを外部メモリへ保存する処理について説明する。
【００４２】
図７は撮像装置１に設定されている複数組のプロファイルをまとめて１つのファイルとして外部メモリに保存する方法を表した図である。６１〜６５で示されるように、撮像装置１（メモリ５２）内のプロファイルと外部メモリ２００、２１０に保存されるプロファイルは１：１で対応する。また、図７に示されるように、複数のプロファイルを１つのファイル６６として一括して外部メモリに保存する。本明細書では、図７に示す保存の形態を一括プロファイル保存と称する。
【００４３】
図８は、図７に示した一括プロファイル保存を実現するシステム制御回路５０の処理を示したフローチャートである。ユーザにより、トップメニューからネットワーク設定が選択されると、画像表示部２８上に図１７に示すようなネットワーク設定メニュー画面を表示する（ステップＳ６０１）。このメニューから一括プロファイル保存が選択されると（ステップＳ６０２）、ステップＳ６０３へ進み、プロファイルの保存先である外部メモリがプロファイルを保存できる状態か否かを判断する（メモリが装着されており、プロファイルを格納可能な領域がある場合、保存できると判断される）。本実施形態では外部メモリが２つ装着可能であり、２つの外部メモリ（２００，２１０）が装着されている場合は何れか一方がプロファイルを保存できる状態にあればよい。
【００４４】
ステップＳ６０３にて外部メモリがプロファイル保存不可能と判断された場合には、ステップＳ６０６においてその旨のメッセージを画像表示部２８に表示し、本処理を終了する。一方、外部メモリがプロファイルを保存可能であると判断された場合にはステップＳ６０４に進む。保存実行が指示されればステップＳ６０５へ進み、キャンセルされれば本処理を終了する。ユーザからの保存実行の指示に応じて、ステップＳ６０５では、複数のプロファイル（本実施形態では５つのプロファイル）を含む１つのファイルを生成し、ステップＳ６０３で保存可能と判断された外部メモリに保存して本処理を終了する。
【００４５】
なお、上記保存処理において、外部メモリに保存されるファイルのファイル名を指定できるようにしてもよい。但し、ファイル名の設定については従来技術を適用することで実現可能であるため個々では説明を省略する。
【００４６】
＜プロファイルの外部メモリからの読込（一括プロファイル読込)＞
次に、外部メモリ２００，２１０に記憶されているプロファイルを撮像装置１内のメモリ５２に読み込む処理について説明する。
【００４７】
図９は、外部メモリ２００（２１０）に複数のプロファイルがまとめて１つのファイル７７として記憶されている場合に、当該ファイル７７を外部メモリ２００（２１０）から撮像装置１内のメモリ５２に読み込む様子を説明した図である。７１〜７５で示されるように、メモリ５２内のプロファイルと外部メモリに保存されているプロファイルは１：１で対応する。すなわち、メモリ５２にはプロファイル１〜５を格納するための領域があり、ファイル７７にはプロファイル１〜５に対応するデータ（プロファイル番号が１〜５のプロファイル）が含まれている。図９では、複数のプロファイルを含むファイルを読み込み、該ファイルに含まれる複数のプロファイルを取り出し、これら複数のプロファイルを一括してメモリ５２に格納する形態（以下、プロファイル一括読込という）を示している。
【００４８】
図１０は、図９に示したプロファイル一括読込により撮像装置１内のメモリ５２にプロファイルを読み込むための、システム制御回路５０の動作を示すフローチャートである。ユーザにより、トップメニューからネットワーク設定が選択されると、画像表示部２８上に図１７に示すようなネットワーク設定メニュー画面を表示する（ステップＳ７０１）。このメニューから一括プロファイル読込が選択されると（ステップＳ７０２）、ステップＳ７０３に進み、読み込むべきファイルが外部メモリ２００（２１０）に存在するか判断する。
【００４９】
ステップＳ７０３にて外部メモリに読み込むべきファイルが存在しないと判断された場合にはステップＳ７０７に進み、その旨のメッセージを表示して本処理を終了する。一方、ステップＳ７０３にて外部メモリにプロファイルが存在すると判断された場合はステップＳ７０４に進み、外部メモリに存在するファイルをリスト表示する。これは、複数のプロファイルが記録されたファイルが外部メモリに複数存在する場合に、それらの中から所望のファイルをユーザが選べるようにするためである。但し、外部メモリに記録されるファイルを一つに制限する場合は、ステップＳ７０４は不要である。
【００５０】
ステップＳ７０５では、読み込みの実行或いはキャンセルのいずれが指示されたかを判定する。読み込みのキャンセルが指示された場合にはそのまま本処理を終了する。一方、読み込みの開始が指示された場合は、ステップＳ７０６に進み、複数のプロファイルを記録した１つのファイル（ステップS７０４のリスト表示から選択されたファイル）を外部メモリ２００（２１０）からメモリ５２に読み込む。そして、このファイルを解析してがイファイルに含まれる複数のプロファイルを取り出し、これらをプロファイル（１）〜（５）として格納する。なお、プロファイル７７にプロファイル（１）〜（３）までしかないような場合は、撮像装置１のメモリ５２側のプロファイル（１）〜（３）は更新されるが、他のプロファイル（４）、（５）はそのままの状態を保つものとする。
【００５１】
＜プロファイルの保護設定＞
次に、メモリ５２に記録されたプロファイルに対して個別に変更を禁止する、プロファイルの保護設定について説明する。本実施形態の撮像装置１はメモリ５２に記録された所望のプロファイルに対して保護設定を行うことにより、プロファイルの読込等により誤って必要なプロファイルを変更してしまうといった事態の発生を防止する。
【００５２】
図１１は各プロファイル毎に個別に変更禁止を設定した状態を説明する図である。変更禁止が設定されたプロファイル（図１１では、プロファイル（１）、（４）、（５）が変更禁止（保護状態）に設定されている）は、図３で示された情報内容の変更が不可能になる。なお、変更禁止が設定されたプロファイルは、「外部メモリからプロファイル情報を読み込む方法」や「撮像装置に備えられた部材（ボタン、ダイアル）を用いて液晶モニターで確認しながら設定する方法」のいずれの方法を用いても変更することはできない。従って、例えば、図９で説明したように一括プロファイル読み込みを試みた場合、ファイル７７に記録されているプロファイル（２）と（３）によってメモリ５２内のプロファイル（２）と（３）は上書きされるが、メモリ５２内のプロファイル（１）、（４）、（５）は上書き（変更）されない。なお、上記プロファイル（１）〜（５）の識別は、プロファイルに登録されたプロファイル番号３１を用いて行うことができる。
【００５３】
図１２はユーザがプロファイルの変更禁止を設定する際の、システム制御回路５０の処理手順を説明したフローチャートである。ユーザにより、トップメニューからネットワーク設定が選択されると、画像表示部２８上に図１７に示すようなネットワーク設定メニュー画面を表示する（ステップＳ８０１）。このメニューから「保護設定」が選択されると（ステップＳ８０２）、ステップＳ８０３に進み、画像表示部２８上にメモリ５２に記録されているプロファイルのリスト（図５と類似したリスト表示とする）が表示される。ユーザはこのプロファイルリストから保護設定或いは解除を行いたいプロファイルを選択し、保護の設定或いは解除の実行を指示する。
【００５４】
保護の設定が指示された場合は、ステップＳ８０４からステップＳ８０５へ進み、選択されたプロファイルに対して設定内容の変更禁止を設定する。また、保護の解除が指示された場合はステップＳ８０４からステップＳ８０６へ進み、選択されたプロファイルに対して設定内容の変更禁止（保護）を解除する。
【００５５】
＜プロファイルの外部メモリへの保存（個別プロファイル保存）＞
上述の一括プロファイル保存、一括プロファイル読込では、複数のプロファイルが１つのファイルに格納された状態で、当該ファイルを撮像装置１のメモリ５２から外部メモリ２００（２１０）へ格納したり、外部メモリ２００（２１０）からメモリ５２に格納する構成を説明した。以下では、プロファイルの保存、読込の別の形態として、各プロファイルを単位として保存、読込を行う構成を説明する。まず、プロファイル単位の外部メモリへの保存（以下、個別プロファイル保存という）について説明する。
【００５６】
図１３は、メモリ５２に格納された複数のプロファイルを一つずつ個別に外部メモリに保存する様子、すなわち個別プロファイル保存の様子を示す図である。図１３では、プロファイル（１）の内容が１つのファイル１３０１として外部メモリ２００（２１０）に格納された様子を示している。
【００５７】
図１４は、図１３に示した個別プロファイル保存を実現するシステム制御回路５０の処理を示したフローチャートである。ユーザにより、トップメニューからネットワーク設定が選択されると、画像表示部２８上に図１７に示すようなネットワーク設定メニュー画面を表示する（ステップＳ９０１）。このメニューから「個別プロファイル保存」が選択されると（ステップＳ９０２）、ステップＳ９０３へ進み、メモリ５２に記録されているプロファイルのリストを表示する。ユーザが外部メモリに保存したいプロファイルを当該リストから選択すると、ステップＳ９０４からステップＳ９０５へ処理が進み、プロファイル保存画面が表示される。
【００５８】
プロファイル保存画面には、外部メモリ２００（２１０）に既にファイルが存在する場合に、これらがリスト表示される（ステップＳ９０６，Ｓ９０７）。なお、外部メモリが複数装着されている場合は、全ての外部メモリをリスト表示の対象とする。但し、リスト表示の対象（保存先）の外部メモリをユーザが選択できるようにしてもよい。このリスト表示で所望のファイルを選択して保存の実行が指示されると、選択されたファイルを新しいプロファイルの内容で上書きするものと判断され、処理はステップＳ９０８からステップＳ９１０へ進む。ステップＳ９１０では選択されたファイルのファイル名で、選択されたプロファイルを外部メモリ２００（２１０）に登録する。
【００５９】
一方、ファイルのリスト表示からファイルが選択されずに保存の実行が指示されると、上書きせずにプロファイルを保存するものと判断され、ステップＳ９０８からステップＳ９０９へ進む。或いは、ステップＳ９０６において外部メモリ２００（２１０）にファイルが存在しないと判定された場合もステップＳ９０９へ進む。ステップＳ９０９では、ユーザに保存するファイル名を決定させる。その後、ステップＳ９１０において、ステップＳ９０８で決定されたファイル名で上記選択された１つのプロファイルを保存する。なお、ファイル名の決定方法は、ユーザが自由に選択してもよいし、あらかじめ決まっているファイル名に番号を追加していくといったように装置側で自動的に決定するようにしてもよい。
【００６０】
なお、プロファイルは一つずつ保存されるので、複数組のプロファイルを保存する場合には、ステップＳ９０１〜Ｓ９０８の操作を繰り返す。
【００６１】
＜プロファイルの外部メモリからの読込（個別プロファイル読込)＞
次に、プロファイル単位で外部メモリよりプロファイルを読み込む（以下、個別プロファイル読込という）処理について説明する。
【００６２】
図１５はプロファイルをひとつずつ個別に外部メモリ２００（２１０）から撮像装置１内のメモリ５２に読み込む様子を表した図である。図１５では外部メモリ２００（２１０）に格納された１つのプファイルを登録したファイル１５０１を読み込み、プロファイル（１）としてメモリ５２に登録する様子が示されている。
【００６３】
図１６は、図１５に示した個別プロファイル読込を実現するシステム制御回路５０の処理を示したフローチャートである。ユーザにより、トップメニューからネットワーク設定が選択されると、画像表示部２８上に図１７に示すようなネットワーク設定メニュー画面を表示する（ステップＳ１００１）。このメニューから「個別プロファイル読込」が選択されると（ステップＳ１００２）、ステップＳ１００３へ進み、メモリ５２内のプロファイルリストを表示する。表示されたプロファイルリストから新たなプロファイルの登録先(読込先)を選択すると、ステップＳ１００４からステップＳ１００５へ進み、外部メモリ２００（２１０）に記録されているファイル（各ファイルはプロファイルに対応する）のリストを表示する。なお、外部メモリが複数装着されている場合は、装着されている全ての外部メモリについてファイルのリストを表示するものとする。但し、リスト表示の対象とすべき外部メモリをユーザが選択できるようにしてもよい。
【００６４】
ステップＳ１００５で表示されたファイルのリストから所望のファイルを選択（読み込み対象のプロファイル）すると、処理はステップＳ１００６からステップＳ１００７へ進む。ステップＳ１００７ではプロファイル読み込み画面を提示する。ユーザからプロファイル読込の実行が指示されると、ステップＳ１００８からステップＳ１００９へ進み、ステップＳ１００５で表示されたファイルリストから選択されたファイルが、ステップＳ１００３デ表示されたプロファイルリストから選択されたプロファイルとしてメモリ５２に記録される。図１５では、ファイル１５０１とプロファイル（１）が選択され、プロファイル(１)としてファイル１５０１の内容が登録される様子を示している。プロファイルの読込がキャンセルされた場合は、ステップＳ１００８から本処理を終了する。
【００６５】
なお、プロファイルはひと組ずつ読み込まれるので、複数組のプロファイルを読み込む場合には、ステップＳ１００１〜ステップＳ１００６の操作を繰り返す。
【００６６】
以上説明したように、本実施形態によれば、複数のプロファイルを登録しておき、所望のプロファイルを選択することでネットワーク設定が行える。例えば、煩雑な操作をすることなく、容易にネットワーク接続機器に対するネットワーク設定の切換えを行うことができる。
【００６７】
また、一括プロファイル保存、一括プロファイル読込によれば、複数のプロファイル（ネットワーク接続情報）を一括して扱うことができるので、複数のプロファイルを外部メモリに保存したり撮像装置内に読み込んだりする際に、同様の操作を何度も繰り返す必要がなくなる。よって、撮像装置から撮像装置へ、或いは、パソコンから撮像装置へのネットワーク接続情報の移動が容易となり、複数台の撮像装置に同じ設定をする際に特に有効である。
【００６８】
また、上記実施形態によれば、プロファイル毎に保護設定を行えるので、誤操作によりネットワーク接続情報を変更してしまう恐れが解消される。
【００６９】
また、外部メモリに複数のネットワーク接続情報ファイルを保存しておけば、ユーザは個数の制限なくネットワーク接続情報をネットワーク接続機器に設定することが可能である。例えば、図４で示したように、撮像装置１にはプロファイルを５つしか格納できないとしても、外部メモリに保持したプロファイルを利用することで、利用できるプロファイルの個数が無制限となる。また、ネットワーク設定情報を個別に管理する際に有効である。
【００７０】
なお、上記実施形態ではネットワーク接続器機２を介してネットワーク通信を実現するため、選択されたネットワーク設定情報をネットワーク接続器機２に対して送信している。しかしながら、撮像装置自体がネットワーク通信機能を有する場合は、選択されたネットワーク設定情報を用いて自身のネットワーク通信機能に対して設定を行うことになる。
【図面の簡単な説明】
【００７１】
【図１】実施形態による撮像装置の構成例を示すブロック図である。
【図２】実施形態によるネットワーク接続機器と撮像装置との接続を示した図である。
【図３】実施形態による、プロファイルのデータ構成例を示した図である。
【図４】実施形態における、プロファイルの設定の流れを説明する図である。
【図５】実施形態のプロファイル選択のためのプロファイルリスト表示画面の例を示す図である。
【図６】実施形態によるネットワーク設定情報の設定て中を説明するフローチャートである。
【図７】複数のプロファイルを外部メモリに一括して保存する方法を説明する図である。
【図８】複数のプロファイルを外部メモリに一括して保存する処理を説明するフローチャートである。
【図９】複数のプロファイルを一括して外部メモリから読み込む方法を説明する図である。
【図１０】複数のプロファイルを一括して外部メモリから読み込む処理を説明するフローチャートである。
【図１１】所望のプロファイルに設定内容の変更禁止を設定する様子を説明する図である。
【図１２】所望のプロファイルに設定内容の変更禁止を設定する処理を示すフローチャートである。
【図１３】１つのプロファイルを外部メモリに保存する方法を説明する図である。
【図１４】１つのプロファイルを外部メモリに保存する処理を説明するフローチャートである。
【図１５】１つのプロファイルを撮像装置内のメモリに読み込む方法を説明する図である。
【図１６】１つのプロファイルを撮像装置内のメモリに読み込む処理を説明するフローチャートである。
【図１７】ネットワーク設定のメニュー画面例を示す図である。
【図１】
2006086650.tif 000003
【図２】
2006086650.tif 000004
【図３】
2006086650.tif 000005
【図４】
2006086650.tif 000006
【図５】
2006086650.tif 000007
【図６】
2006086650.tif 000008
【図７】
2006086650.tif 000009
【図８】
2006086650.tif 000010
【図９】
2006086650.tif 000011
【図１０】
2006086650.tif 000012
【図１１】
2006086650.tif 000013
【図１２】
2006086650.tif 000014
【図１３】
2006086650.tif 000015
【図１４】
2006086650.tif 000016
【図１５】
2006086650.tif 000017
【図１６】
2006086650.tif 000018
【図１７】
2006086650.tif 000019